(57)【要約】【課題】カメラ用アクセサリの着脱時に確実にマウント開口を閉じることができるカメラを提供する。【解決手段】カメラ（１）を、装着位置と取外位置との間を移動可能な締結部材（５０）の該移動によってカメラ用アクセサリ（２）に備えられたアクセサリ側マウント（１２０）に着脱可能に接続するカメラ側マウント（２０）と、被写体光を通過させるマウント開口（４１）を閉じる閉位置と前記マウント開口を開放する開位置との間を、前記カメラ側マウントに前記カメラ用アクセサリが接続された状態で移動可能に設けられたマウントバリア（９０）と、第１の位置と第２の位置との間の移動によって前記締結部材を前記装着位置と前記取外位置との間で駆動するとともに、前記第２の位置と第３の位置との間の移動によって前記マウントバリアを前記閉位置と前記開位置との間で駆動する駆動部（７０）とを備える構成とした。【選択図】図２
2010054660.tif 000002
【特許請求の範囲】
【請求項１】
装着位置と取外位置との間を移動可能な締結部材の該移動によってカメラ用アクセサリに備えられたアクセサリ側マウントに着脱可能に接続するカメラ側マウントと、
被写体光を通過させるマウント開口を閉じる閉位置と前記マウント開口を開放する開位置との間を、前記カメラ側マウントに前記カメラ用アクセサリが接続された状態で移動可能に設けられたマウントバリアと、
前記締結部材及び前記マウントバリアに機械的に接続され、第１の位置と第２の位置との間の移動によって前記締結部材を前記装着位置と前記取外位置との間で駆動するとともに、前記第２の位置と第３の位置との間の移動によって前記マウントバリアを前記閉位置と前記開位置との間で駆動する駆動部と
を備えるカメラであって、
前記マウントバリアは、前記駆動部が前記第１の位置と前記第２の位置との間を移動する際に前記閉位置とされ且つ前記駆動部によって駆動されず、
前記締結部材は、前記駆動部が前記第２の位置と前記第３の位置との間を移動する際に前記駆動部によって駆動されないこと
を特徴とするカメラ。
【請求項２】
請求項１に記載のカメラにおいて、
前記駆動部は、前記第１の位置と前記第２の位置との間を移動する際、及び、前記第２の位置と前記第３の位置との間を移動する際に同一の方向に連続して移動すること
を特徴とするカメラ。
【請求項３】
請求項１又は請求項２に記載のカメラにおいて、
前記駆動部は、前記第１の位置と前記第２の位置との間を移動する際に前記締結部材を押圧して駆動する押圧部を備え、
前記押圧部は、前記駆動部が前記第２の位置と前記第３の位置との間を移動する際には前記マウントバリアを押圧して駆動すること
を特徴とするカメラ。
【請求項４】
請求項３に記載のカメラにおいて、
前記締結部材は、前記駆動部が前記第１の位置と前記第２の位置との間を移動する際に前記押圧部に押圧される被押圧面部と、前記被押圧面部に連続して形成され、前記駆動部が前記第２の位置と前記第３の位置との間を移動する際の前記押圧部の移動方向と平行に形成された平行面部とを備え、
前記押圧部は、前記駆動部が前記第２の位置と前記第３の位置との間を移動する際に前記平行面部に沿って移動しながら前記マウントバリアを押圧して駆動すること
を特徴とするカメラ。
【請求項５】
請求項１から請求項４までのいずれか１項に記載のカメラにおいて、
前記駆動部を前記第１の位置から前記第３の位置の間で駆動するアクチュエータを備えること
を特徴とするカメラ。
【発明の詳細な説明】
【技術分野】
【０００１】
本発明は、カメラに関するものである。
【背景技術】
【０００２】
従来、カメラとしては、着脱可能なレンズ鏡筒ユニットを固定するための可動機構によって、筐体前面部に形成された開口を開閉するバリアの駆動を行うものが知られている（例えば、特許文献１参照）。
【特許文献１】特開平８−１７１１３０号公報
【発明の開示】
【発明が解決しようとする課題】
【０００３】
上述した従来のカメラは、レンズ鏡筒ユニットの装着時にバリアを開状態にしなければならず、筐体の内部にダスト等が進入する可能性があった。
本発明の課題は、カメラ用アクセサリの着脱時に確実にマウント開口を閉じることができるカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、装着位置と取外位置との間を移動可能な締結部材（５０）の該移動によってカメラ用アクセサリ（２）に備えられたアクセサリ側マウント（１２０）に着脱可能に接続するカメラ側マウント（２０）と、被写体光を通過させるマウント開口（４１）を閉じる閉位置と前記マウント開口を開放する開位置との間を、前記カメラ側マウントに前記カメラ用アクセサリが接続された状態で移動可能に設けられたマウントバリア（９０）と、前記締結部材及び前記マウントバリアに機械的に接続され、第１の位置と第２の位置との間の移動によって前記締結部材を前記装着位置と前記取外位置との間で駆動するとともに、前記第２の位置と第３の位置との間の移動によって前記マウントバリアを前記閉位置と前記開位置との間で駆動する駆動部（７０）とを備えるカメラであって、前記マウントバリアは、前記駆動部が前記第１の位置と前記第２の位置との間を移動する際に前記閉位置とされ且つ前記駆動部によって駆動されず、前記締結部材は、前記駆動部が前記第２の位置と前記第３の位置との間を移動する際に前記駆動部によって駆動されないことを特徴とするカメラ（１）である。
【０００５】
請求項２の発明は、請求項１に記載のカメラにおいて、前記駆動部（７０）は、前記第１の位置と前記第２の位置との間を移動する際、及び、前記第２の位置と前記第３の位置との間を移動する際に同一の方向に連続して移動することを特徴とするカメラ（１）である。
請求項３の発明は、請求項１又は請求項２に記載のカメラにおいて、前記駆動部（７０）は、前記第１の位置と前記第２の位置との間を移動する際に前記締結部材（５０）を押圧して駆動する押圧部（７１）を備え、前記押圧部は、前記駆動部が前記第２の位置と前記第３の位置との間を移動する際には前記マウントバリア（９０）を押圧して駆動することを特徴とするカメラ（１）である。
請求項４の発明は、請求項３に記載のカメラにおいて、前記締結部材（５０）は、前記駆動部（７０）が前記第１の位置と前記第２の位置との間を移動する際に前記押圧部（７１）に押圧される被押圧面部（５３ａ）と、前記被押圧面部に連続して形成され、前記駆動部が前記第２の位置と前記第３の位置との間を移動する際の前記押圧部の移動方向と平行に形成された平行面部（５３ｂ）とを備え、前記押圧部は、前記駆動部が前記第２の位置と前記第３の位置との間を移動する際に前記平行面部に沿って移動しながら前記マウントバリア（９０）を押圧して駆動することを特徴とするカメラ（１）である。
請求項５の発明は、請求項１から請求項４までのいずれか１項に記載のカメラにおいて、前記駆動部（７０）を前記第１の位置から前記第３の位置の間で駆動するアクチュエータ（６０）を備えることを特徴とするカメラ（１）である。
なお、符号を付して説明した構成は、適宜改良してもよく、また、少なくとも一部を他の構成物に代替してもよい。
【発明の効果】
【０００６】
本発明によれば、カメラ用アクセサリの着脱時に確実にマウント開口を閉じることができるカメラを提供することができる。
【発明を実施するための最良の形態】
【０００７】
以下、図面等を参照して、本発明を適用したカメラの実施形態について説明する。
図１は、実施形態のカメラの構造を示す斜視図である。
なお、理解を容易にするため、各図にＸ軸−Ｙ軸−Ｚ軸からなる３次元座標系を設定して説明する。
実施形態のカメラ１は、交換レンズ鏡筒２が着脱可能に装着されるレンズ交換式のカメラボディである。
カメラ１は、略直方体の箱形に形成された筐体１０と、この筐体の前面部に形成されたカメラ側マウント２０を備えている。筐体１０の前面部とは、撮影時に被写体に対向する面部を意味する。
筐体１０の前面にはレンズ鏡筒を装着する際の装着指標となるマーク（指標）１２が設けられている。レンズ鏡筒２にも、この指標１２と対応するマーク（指標）１２２が設けられている。
【０００８】
カメラ側マウント２０は、交換レンズ鏡筒２が着脱可能に装着される部分であり、交換レンズ鏡筒２に備えられた鏡筒側マウント１２０と協働してマウントシステム（締結機構）を構成している。なお、図１を含む各図面に示す交換レンズ鏡筒２は、カメラ１に装着可能なカメラ用アクセサリの一例であり、カメラ１には、この交換レンズ鏡筒２と実質的に同じ構成のマウント機構を備えた他の交換レンズ鏡筒やその他のアクセサリが選択的に装着可能になっている。
カメラ側マウント２０は、バヨネット式のマウント機構であり、複数（本実施形態では、例えば、３つ）の爪部２１が鏡筒側マウント１２０に備えられた爪部１２１に機械的に係合することによってカメラ１と交換レンズ鏡筒２との光軸方向の相対移動を制限する。
【０００９】
ここで、本実施形態のカメラ側マウント２０は、電動式のバヨネットマウントとなっており、交換レンズ鏡筒２を装着する際は、電動モータ６０（図２参照）の駆動力によって上述した爪部２１、１２１同士を機械的に係合させるようになっている。
図２は、図１に示すカメラに備えられたカメラ側マウントの構造を示す分解斜視図である。
図３は、図１に示すカメラの構成を示すブロック図である。
カメラ側マウント２０は、前飾り環３０、マウント開口規定部４０、係合リング５０、電動モータ６０、駆動部材７０、制御部８０等を備えている（制御部８０は図３参照）。
前飾り環３０は、円環状に形成された部材であり、筐体１０の前面部に形成された円形の開口部１１の周縁部に固定される。交換レンズ鏡筒２から進行する被写体光は、前飾り環３０の内径側を通過して、カメラ１の筐体１０内に設けられた撮像素子８３（図３参照）に導かれる。
【００１０】
マウント開口規定部４０は、中央部に円形の開口部であるマウント開口４１が形成された円盤状の部材であり、前飾り環３０よりも撮影素子８３側に配置されている。マウント開口規定部４０は、光軸方向被写体側に面した面部に複数の電気接点４２を備えている。これらの電気接点４２は、交換レンズ鏡筒２がカメラ１に装着された状態で、交換レンズ鏡筒２に備えられた図示しない電気接点に接触可能に設けられている。
カメラ１は、これらの電気接点４２を用いて、例えば、交換レンズ鏡筒２に電力を供給したり、交換レンズ鏡筒２と電気通信を行う。また、後述する制御部８０は、これらの電気接点同士が接触することによって、交換レンズ鏡筒２の鏡筒側マウント１２０が係合リング５０の内径側に挿入され、所定の締結可能位置に配置されたことを検出する。
【００１１】
係合リング５０は、前飾り環３０とマウント開口規定部４０との間に配置された部材であり、円環状に形成された本体部５１と、本体部５１の外周縁部からその外径側に突き出して設けられた駆動レバー５２とを備えている。
本体部５１は、その内周縁部から内径側に突き出して形成された爪部２１を備えている。爪部２１は、略均等な間隔で、例えば、３つが形成されている。
駆動レバー５２は、後述する駆動部材７０に形成された突起７１が挿入される駆動溝５３を備えており、本体部５１は、この駆動レバー５２に電動モータ６０の出力が伝達されることによって、光軸Ａを中心として光軸Ａに直交する面内で回転するように筐体１０に支持されている。
【００１２】
電動モータ６０は、係合リング５０を正転方向及び逆転方向に回転させるアクチュエータであり、例えば、ステッピングモータ等が使用される。電動モータ６０の出力軸には、ピニオンギア６１が取り付けられている。電動モータ６０は、制御部８０（図３参照）によって駆動制御される。
駆動部材７０は、電動モータ６０の出力を係合リング５０に伝達する円盤状の部材である。駆動部材７０は、上述したピニオンギア６１に噛み合うギア７２が外周縁部に形成されており、電動モータ６０が作動すると、これに応じて光軸Ａに略平行に延在する軸部７３周りに回転する。
【００１３】
駆動部材７０は、光軸方向被写体側に面した面部から、光軸方向被写体側に突き出して設けられたピン状の突起７１を備えている。前述したように、この突起７１は、駆動レバー５２に設けられた駆動溝５３に挿入されている。
駆動溝５３は、本体部５１の径方向に平行な方向に延在する直線状に形成された直線領域５３ａと、この直線領域５３ａに連続して形成され、駆動部材７０を軸支する軸部７３を中心とする円弧に平行に形成された円弧領域５３ｂとを備えている。直線領域５３ａは、駆動レバー５２の基端部側に形成され、円弧領域５３ｂは、駆動レバー５２の先端部側に形成されている。
【００１４】
制御部８０は、上述した電気接点４２や電動モータ６０、交換レンズ鏡筒２をカメラ１から取り外す際に操作される取り外しボタン８１、カメラ１の電源スイッチ８２、被写体光を電気信号に変換して出力する撮像素子８３、撮像素子８３の出力に基づいて形成される画像等を表示する表示装置８４、画像データを着脱可能なメモリに記録するドライブ装置８５（図３参照）等に電気的に接続されており、これらを統括的に制御する。取り外しボタン８１は、図１に示すように筐体１０の前面部に設けられている。
【００１５】
次に、カメラ側マウント２０の動作を説明する。
図４は、図２に示すカメラ側マウントの動作を示す図である。
この図４において、（ａ）は、交換レンズ鏡筒２が装着される前の初期状態を示し、（ｂ）は、カメラ側マウント２０と鏡筒側マウント１２０との締結完了状態を示し、（ｃ）は、後述するマウントバリアが開位置とされた状態を示している。
図４（ａ）に示すように、初期状態において、駆動部材７０の突起７１は、駆動レバー５２に形成された駆動溝５３のうち、直線領域５３ａに挿入されている。そして、交換レンズ鏡筒２の鏡筒側マウント１２０が係合リング５０の本体部５１の内径側に挿入されると、制御部８０は、電気接点４２の一部を用いてこれを検出し、電動モータ６０を回転させる。以下、このときの電動モータ６０の回転方向を取付方向と称して説明する。
【００１６】
駆動部材７０は、電動モータ６０の出力が伝達されることによって軸部７３周りに回転する（図４（ｂ）参照）。なお、駆動部材７０が回転する間、カメラ１のユーザは、交換レンズ鏡筒２を保持する必要があるが、交換レンズ鏡筒２をカメラ１に対して回転等させる必要はない。
駆動部材７０が回転すると、突起７１は、駆動溝５３の直線領域５３ａ内を移動しながら駆動溝５３の内側面を押圧する。これによって係合リング５０の本体部５１が光軸周りに回転し、マウント開口規定部４０に設けられたラッチピン４３（図１参照）が、鏡筒側マウント１２０に形成された孔部（図示省略）に嵌合して、カメラ１と交換レンズ鏡筒２とが締結される。このときの係合リング５０の回転角度は、特に限定されず、爪部２１の本数等に応じて適宜設定するとよい。本実施形態の係合リング５０は、爪部２１を３つ備えているので、本体部５１の回転角度は、例えば、４５°〜６０°程度が好ましい。
【００１７】
この図４（ｂ）に示す締結完了状態では、カメラ側マウント２０の爪部２１と鏡筒側マウント１２０の爪部１２１（図４において図示省略）との光軸を中心とする周方向の位置が重複しており、これによってカメラ１と交換レンズ鏡筒２の光軸方向の相対移動が制限される。なお、カメラ１と交換レンズ鏡筒２との径方向の相対移動は、マウント開口規定部４０に設けられた溝部４４（図１参照）と、交換レンズ鏡筒２に設けられた図示しない突起とが嵌合することによって、機械的に（構造上）制限されるようになっている。交換レンズ鏡筒２をカメラ１から取り外す際は、係合リング５０を取付方向とは逆の方向に回転させる。
【００１８】
また、本実施形態のカメラ１は、マウントバリア９０を備えている。
マウントバリア９０は、上述したマウント開口規定部４０に形成されたマウント開口４１を、例えば、カメラ１に交換レンズ鏡筒２が装着されていないとき等に実質的に閉塞する。
マウントバリア９０は、図２に示すように、円盤状に形成された本体部９１、本体部９１の外周縁部からその外径側に突き出して設けられた駆動レバー９２、及び、マウントバリア９０を後述する閉位置に付勢する付勢バネ９３を備えている。駆動レバー９２は、平面視で略Ｌ字状に形成されており、屈曲部において軸部９４に回転可能に軸支されている。付勢バネ９３は、一端が筐体１０に固定され、他端が駆動レバー９２に固定された引っ張りコイルバネである。
マウントバリア９０は、軸部９４周りに回転することによって、本体部９１がマウント開口４１を閉じる閉位置と、本体部９１がマウント開口４１を開放する開位置との間を移動する。
【００１９】
マウントバリア９０は、マウント開口規定部４０の裏面部（光軸方向撮影者側を向いた面部）側に配置されており、カメラ側マウント２０に交換レンズ鏡筒２が装着された状態であっても閉位置と開位置との間で移動できるようになっている。
図４（ａ）に示す初期状態では、マウントバリア９０は、閉位置に配置される。そして、駆動レバー９２の先端部は、駆動部材７０が回転する際の突起７１の移動軌跡上に配置されるが、突起７１とは接触していない。
【００２０】
図４（ｂ）に示すように、カメラ１に交換レンズ鏡筒２を装着するために係合リング５０を回転させた締結完了状態では、突起７１と駆動レバー９２とが接触するが、マウントバリア９０の位置は変化しない。なお、この図４（ｂ）に示す締結完了状態では、マウントバリア９０を駆動する必要がないので、突起７１と駆動レバー９２とが接触しなくてもよい。
【００２１】
この図４（ｂ）に示す締結完了状態でさらに電動モータ６０を取付方向に回転させると、駆動部材７０が交換レンズ鏡筒２を装着する際の方向と同じ方向に回転する。駆動部材７０に備えられた突起７１は、これに応じて駆動レバー９２を押圧する。マウントバリア９０は、これによって付勢バネ９３の付勢力に抗して軸部９４周りに回転し、本体部９１が被写体光の光路から退避してマウント開口を開放する。
このとき、駆動部材７０の突起７１は、係合リング５０に設けられた駆動レバー５２の駆動溝５３のうち、円弧領域５３ｂ内を移動するので、係合リング５０には駆動部材からの駆動力が伝達されず、係合リング５０は回転しない。
【００２２】
マウントバリア９０を開位置から閉位置に駆動する際は、電動モータ６０を取付方向とは逆の方向に回転させればよい。突起７１は、円弧領域５３ｂ内を移動し、駆動レバー９２は、付勢バネ９３の付勢力によって自動的に閉位置に復帰する。
このように、本実施形態のカメラ１は、駆動部材７０の突起７１が爪部２１を備えた係合リング５０及びマウントバリア９０の両方を駆動するようになっているが、係合リング５０の回転駆動、及び、マウントバリア９０の開閉駆動は、それぞれ別個に行うことができるようになっている。
【００２３】
次に、本実施形態のカメラ１に備えられた制御部８０が、交換レンズ２の装着時、及び、取り外し時に行うカメラ側マウント２０及びマウントバリア９０の駆動制御について説明する。
図５は、図２に示す制御部が行うカメラ側マウント及びマウントバリアの駆動制御を示すフローチャートである。
以下、ステップごとに説明する。
【００２４】
〈交換レンズ鏡筒装着時〉
（ステップＳ０１：交換レンズ鏡筒締結）
交換レンズ鏡筒２をカメラ１に装着する前の初期状態（図４（ａ）参照）では、マウントバリア９０が閉位置にあり、筐体１０の内部へのダスト等の進入を防止している。
撮影者等のユーザが交換レンズ鏡筒２をカメラ１に装着する際、ユーザは、交換レンズ側の指標１２２をカメラ側の指標１２に合わせながら、交換レンズ鏡筒２を係合リング５０の本体部５１の内径側に挿入する。制御部８０は、電気接点４２と交換レンズ鏡筒２の電気接点とが接触したことを検出すると、これに応じてステップＳ０２に進む。
【００２５】
（ステップＳ０２：モータ駆動）
制御部８０は、電動モータ６０を制御して駆動部材７０を取付方向に回転させてステップＳ０３に進む。このときの電動モータ６０の駆動量（係合リング５０の停止位置）は、例えば、電動モータ６０に入力する駆動パルス数によって制御してもよいし、（爪部１２１に爪部２１を係合させるために必要な駆動パルス数が予め制御部８０内にメモリされている）駆動部材７０又は係合リング５０の位置を検出する位置検出スイッチを設け、この検出スイッチの出力に基づいて制御してもよい。
係合リング５０は、図４（ａ）に示す初期位置（第１の位置）から、図４（ｂ）に示す締結完了位置（第２の位置）まで回転し、これによって交換レンズ鏡筒２とカメラ１とを相対回転させることなくカメラ側マウント２０の爪部２１と、鏡筒側マウント１２０の爪部１２１とを機械的に係合させることができる。なお、制御部８０は、カメラ１の電源スイッチ８２がオフの状態であっても、接点同士が接触したことを検出できるようになっている。
【００２６】
（ステップＳ０３：電源スイッチ操作検出）
制御部０８は、交換レンズ鏡筒２が装着されたときに電源スイッチ８２がオン状態であれば、ステップＳ０４に進んでマウントバリア９０の開制御を行う。また、電源スイッチ８２がオフ状態であれば、待機状態となり、マウントバリア９０を閉位置に保持したまま、処理を終了する。なお、交換レンズ鏡筒２が装着された状態で電源スイッチ８２がオン操作された場合には、次に説明するステップＳ０４の制御を行い、マウントバリア９０を開位置に駆動する。
【００２７】
（ステップＳ０４：モータ駆動）
制御部８０は、電動モータ６０を制御して取付方向にバリア開にするために予め定められている所定量だけ回転させて処理を終了する。駆動部材７０は、これに応じて図４（ｂ）に示す締結完了位置から図４（ｃ）に示す撮影可能位置（第３の位置）に移動する。マウントバリア９０は、この駆動部材７０の回転移動に連動して閉位置から開位置に駆動移動する。
【００２８】
次に、交換レンズ鏡筒２を取り外す際の制御を説明する。
〈交換レンズ鏡筒取り外し時〉
（ステップＳ１１：着脱ボタン押圧検出）
ユーザによって取り外しボタン８１が押圧操作されると、制御部８０は、これに応じてステップＳ１２に進む。取り外しボタン８１の押圧操作を検出しない場合には、待機状態となる。
（ステップＳ１２：マウント位置判定）
制御部８０は、マウントバリア９０の位置判定を行う。マウントバリア９０が閉位置の場合には、交換レンズ鏡筒２を取り外しても筐体１０の内部にダスト等が進入しないので、ステップＳ１４に進んで係合リング５０を駆動する。これに対し、マウントバリア９０が開位置の場合は、ステップＳ１３に進んでマウントバリア９０の閉制御を行う。
【００２９】
（ステップＳ１３：モータ駆動）
制御部８０は、電動モータ６０を制御し、マウントバリア９０を開位置から閉位置に駆動してステップＳ１３に進む。このとき、駆動部材７０の突起７１は、係合リング５０の駆動レバー５２に形成された駆動溝５３のうち、円弧領域５３ｂ内を移動するので、係合リング５０は回転しない。
（ステップＳ１４：係合リング回転）
制御部８０は、電動モータ６０を制御して係合リング５０を図４（ｂ）に示す締結完了位置から図４（ａ）に示す初期位置に駆動して処理を終了する。駆動部材７０の突起７１は、これによってマウントバリア９０の駆動レバー９２とは非接触状態となるが、マウントバリア９０は、付勢バネ９３によって閉位置に保持される。
【００３０】
以上説明した実施形態のカメラ１によれば、以下の効果を得ることができる。
（１）カメラ側マウント２０を、交換レンズ鏡筒２を検出して自動的に装着動作を行う電動式のマウント機構としたので、装着作業が容易である。また、カメラ側マウント２０に形成されたマウント開口４１を閉じるマウントバリア９０を設けたので、交換レンズ鏡筒２をカメラ１から取り外した状態であっても、筐体１０の内部にダスト等が進入することを防止できる。そして、本実施形態のカメラ１は、交換レンズ鏡筒２の着脱作業を行う際、マウントバリア９０が必ず閉じた状態とされ、マウント開口４１を開放することが構造上不可能となっているので、確実にダスト等の進入を防止できる。
（２）交換レンズ鏡筒２が装着されていない初期状態から、マウント開口４１が開放された撮影可能な状態に移行する間、駆動部材７０（及び電動モータ６０）の回転方向は、同一なので、交換レンズ鏡筒２が非装着の状態から撮影可能な状態となるまで、速やかに移行できる。また、電動モータ６０の制御も容易である。
（３）カメラ側マウント２０の係合リング５０とマウントバリア９０とを共通（単一）の電動モータ６０によって駆動するので、スペース効率がよい。
【００３１】
［変形形態］
本発明は、以上説明した実施形態に限定されることなく、以下に示すような種々の変形や変更が可能であって、これらも本発明の技術的範囲内に含まれる。
（１）実施形態のカメラは、マウント機構及びマウントバリアを円盤状の駆動部材を電動モータによって回転させることによって駆動したが、これに限らず、例えば、駆動部材にレバーを設けるとともにこのレバーを筐体の一部に露出させ、このレバーを手動で操作することによって駆動部材を回転させてもよい。
（２）実施形態のカメラと交換レンズ鏡筒とは、バヨネット式のマウント機構によって締結される構成であったが、これに限らずスクリュー式のマウント機構によって締結してもよい。
（３）実施形態のカメラは、カメラ及び交換レンズ鏡筒の接点同士が接触すると自動的に締結を開始する構成であったが、これに限らず、カメラ側のマウント構造上に、機械的なスイッチを設け、レンズ側のマウント構造上にレンズ装着時にそのスイッチを押圧可能な突起を設けておき、交換レンズ鏡筒をカメラ側マウントに接触させたときに、その突起がスイッチをＯＮさせることによって、自動的に締結を開始させる構成にしても良い。
（４）実施形態のカメラは、カメラ及び交換レンズ鏡筒の接点同士が接触すると自動的に締結を開始する構成であったが、これに限らず、例えば、交換レンズ鏡筒を係合リングの内径側に挿入した後、例えば、押しボタンが操作されることによって締結を開始するようにしてもよい。
（５）実施形態は、駆動部材に設けられた突起によって係合リング及びマウントバリアを駆動する構成であったが、係合リング及びマウントバリアを駆動する機構は、これに限られない。例えば、マウントバリアの駆動レバーにも係合リングと同様の駆動溝を設けてもよい。この場合、マウントバリアを閉位置に付勢する付勢手段が不要になる。また、例えば、係合リング及びマウントバリアにピン状の突起を設け、円盤状の駆動部材にこれらの突起が挿入される駆動溝（直線領域及び円弧領域）を設けてもよい。また、駆動部材は、光軸に平行な軸線周りに回転する構成であったが、これに限らず、任意の方向に直線移動（スライド）させてもよい。この場合、駆動部材の直線運動を回転運動に変換するカム機構を設けて係合リング及びマウントバリアを駆動すればよい。
（６）実施形態のカメラは、係合リングに形成された溝に駆動部材の突起が挿入されたが、これに限らず、係合リングにもマウントバリアと同様な溝を備えない駆動レバーを設けてもよい。この場合、係合リングを初期状態に付勢する付勢手段を設けるとよい。
（７）実施形態は、カメラ用アクセサリとして交換レンズ鏡筒がカメラに装着されたが、カメラ用アクセサリは、これに限らず、例えば、マウントアダプタやボディキャップ等であってもよい。
（８）実施形態は、カメラに設けられたマウントを駆動したが、これに限らず、カメラ用アクセサリ側のマウントを電動式にし、実施形態と同様の構成をレンズ鏡筒に設けてもよい。この場合、マウントバリアは、マウント開口を閉じる機能の代わりにレンズ保護の機能を有する。
【図面の簡単な説明】
【００３２】
【図１】実施形態のカメラの構造を示す斜視図である。
【図２】図１に示すカメラに備えられたカメラ側マウントの構造を示す分解斜視図である。
【図３】図１に示すカメラの構成を示すブロック図である。
【図４】図２に示すカメラ側マウントの動作を示す図である。
【図５】図２に示す制御部が行うカメラ側マウント及びマウントバリアの駆動制御を示すフローチャートである。
【符号の説明】
【００３３】
１  カメラ  ：  ２  交換レンズ鏡筒  ：  ２０  カメラ側マウント  ：  ４０  マウント開口規定部  ：  ４１  マウント開口  ：  ５０  係合リング  ：  ７０  駆動部材  ：  ９０  マウントバリア  ：  １２０  鏡筒側マウント
【図１】
2010054660.tif 000003
【図２】
2010054660.tif 000004
【図３】
2010054660.tif 000005
【図４】
2010054660.tif 000006
【図５】
2010054660.tif 000007